(57)【要約】【課  題】調剤薬局情報交換支援システム（Ｐｈａｒｍｃｙ  Ｉｎｔｅｌｌｉｇｅｎｃｅ  Ｓｕｐｐｏｒｔ  Ｓｙｓｔｅｍ  ：以下  ＰＩＳＳと表記）は、調剤薬局の本部とその支店及びグループ参加店舗（以下  個店と表記）間をインターネットで結び、双方向による販売・仕入・在庫・財務情報を交換することにより、本部指導による個店業務支援を行い、その作業の軽減・効率向上を実現する。また、厚生労働省の指導に基づく特別指導加算後会計処理を的確に行い、患者に対するきめ細かなサービスを充実させ、ＯＴＣ・健康食品・介護用品を含めた個店の業務を全面的にバックアップするＰＩＳＳを提供する。【解決手段】図１・２に示すハードウェア構成によるＰＩＳＳであって、対象業務に対応するソフトウェア構成として、図３の本部システム及び個店システム（バックヤード処理・レセプト処理・単体レジ処理）を設ける。【選択図】図３
2004227541.tif 000002
【特許請求の範囲】
【請求項１】
個店の業務を支援する、調剤薬局情報交換支援システム（Ｐｈａｒｍｃｙ  Ｉｎｔｅｌｌｉｇｅｎｃｅ  Ｓｕｐｐｏｒｔ  Ｓｙｓｔｅｍ  以下ＰＩＳＳと表記）であって、調剤薬局の本部とその支店及びグループ参加店舗（以下個店と表記）のパーソナルコンピューター（サーバー機）をインターネットを用いた双方向での通信（送・受信）により販売・仕入・在庫・財務情報を交換する。  本部に集約された個店データにより、全個店の経営状況の正確な掌握・指導を行えることを特徴とするＰＩＳＳ。
【請求項２】
請求項１記載のＰＩＳＳであって、本部システムは、集約された個店データにより、各個店毎の売上・仕入・在庫の把握と分析を可能とし、薬剤及びその他商品の一括発注・販売促進（ＤＭ作成等）、レセプト請求業務の支援を行えることを特徴とするＰＩＳＳ。
【請求項３】
請求項２記載のＰＩＳＳであって、本部システムは、パーソナルコンピューターをサーバー機としている為、個店の店舗数の拡大にともない、クライアント（端末機）を増設可能なことを特徴とするＰＩＳＳ。
【請求項４】
請求項１記載のＰＩＳＳであって、個店システムのバックヤード処理として、以下の処理を行えることを特徴とするＰＩＳＳ。
・顧客・商品詳細データの登録・保有
・売上データの保管・加工
・レセプトデータの保管
・仕入・支払・検収・返品・在庫移動・棚卸しデータ入力
・在庫表・売上日計表・支払明細・買掛台帳の作表
・売上状況・買掛状況・在庫状況の照会
・単体レジへのスマートメディアを用いたデータの受け渡し
【請求項５】
請求項４記載のＰＩＳＳであって、個店システムのレセプト処理として、薬剤師一人に一台のレセコンを配し、患者に対する指導内容を後入れすることにより、特別指導加算後会計処理を的確に行えることを特徴とするＰＩＳＳ。
【請求項６】
請求項４記載のＰＩＳＳであって、個店システムの単体レジにスマートメディアを付け、それによりバックヤードのサーバー機と売上・商品データを受け渡しすることにより、繁雑なデータの加工・集計等をバックヤードで行えることを特徴とするＰＩＳＳ。
【請求項７】
請求項４・５記載のＰＩＳＳであって、個店システムのバクヤードのパーソナルコンピューターをサーバー機としている為、個店の薬剤師数に応じてレセコン（端末機）を増設出来ることを特徴とするＰＩＳＳ。
【発明の詳細な説明】
【０００１】
【発明の属する技術分野】
本発明は、本部が個店の業務を支援し、その作業を軽減することにより、コンピューターを用いた個店の患者指向の調剤薬局及びＯＴＣの支援技術に関し、特に調剤業務では特別指導加算後会計処理を実現するレセプト処理を搭載し、『かかりつけ薬局』に求められる処方内容の安全性チェック機能、薬歴管理機能、服薬指導から保険請求事務までをトータルにサポートする調剤業務に適応し、ＯＴＣにおいてはＰＯＳを使用せず単体レジにスマートメディアを付けることにより、バックヤードのサーバー機との売上データの受け渡しを行い繁雑なデータの加工・集計等をバックヤードで行う事が出来、レジ自体の操作が簡単に行え、誰でもすぐに修得出来るＯＴＣに好適なＰＩＳＳに適用して有効な技術に関するものである。
【０００２】
【従来の技術】
発明者が検討した技術として、一般の調剤薬局においては、医師が発行した処方せんの処方内容に基づいて薬剤師が医薬品の調剤を行いこの調剤された薬を患者に渡すとともに、患者に対して薬の服用上の注意などの服薬指導を行う流れで調剤業務が行われている。
このような調剤薬局の支援システムとしては、一般的にコンピューターを用いて、窓口入力・会計や保険請求事務などのレセプト中心の業務を行っていると考えられる。  また、このような調剤薬局の支援システムにおいては、医薬分業が定着して行く中で、調剤薬局に求められるのは医師が安心して処方せんを発行出来る体制を整えることである。  また、患者から信頼される『かかりつけ薬局』となる為にも、薬の使用目的や使用方法、使用後の注意などの適切なアドバイスを行ったり、生涯にわたる薬歴を管理して服薬事故を防止するといったサービスは欠かせない事であるが、従来の技術ではこの重要な点が不完全である。
【０００３】
【発明が解決しようとする課題】
前記のように一般的な調剤薬局の支援システムにおいては、レセプト中心の業務に留まっている。
医薬分業の進展及びＰＬ法の施行にともない、患者への適切な服薬指導や安全な薬物治療が叫ばれる中、医薬品情報の重要性・必要性が高まっている。  このような状況の中で従来のレセプト中心の業務のみならず、処方内容の安全性チェック、患者の薬歴管理や服薬指導が特に重要視されており、システム的な支援が望まれている。
そこで、本発明の目的は、患者指向の支援システムとして、従来のレセプト中心の業務に完全に対応するとともに、本部が各個店業務を支援し、軽減することにより、また本部よりの医薬品情報を活用して『かかりつけ薬局』に求められるきめの細かな処方内容の安全性チェック機能、薬歴管理機能、服薬指導機能までをトータルにサポートするＰＩＳＳを提供することにある。
本発明の前記ならびにその他の目的と新しい特徴は、本明細書の記述及び添付図面から明らかになる。
【０００４】
【課題を解決するための手段】
本願において開示される発明のうち、代表的なものの概要を簡単に説明すれば以下のとおりである。
すなわち、本発明によるＰＩＳＳは、本部による個店及びその薬剤師の業務を支援するものであり、具体的な本部での支援内容は、全個店の販売・仕入・在庫・財務データを集約し、その仕入（メーカーへの一括発注）・在庫管理（在庫移動・不良在庫の廃棄を含む）・経営状況の正確な掌握による適切な指導等により、薬剤・ＯＴＣ・その他商品の仕入価格の低減、運営業務の軽減を実現し、個店業務作業を支援する。
個店においては、前記本部よりの支援を受け業務の軽減にともない、時間の余裕を持ってきめの細かい患者へのサポートを行うことが出来る。  また、その搭載するレセプト処理により、医師の発行した処方せんの処方内容を入力手段から入力し、この処方内容をチェック手段により自動チェックし、この安全性のチェックが行われた処方内容に基づいて調剤を行い、この調剤された薬剤を患者に対して提供するものである。
このチェック手段の機能として、処方せんの処方内容の入力時に、本部より提供された医薬品の情報（データベース）を活用しながら、処方せん内での用量と長期投与チェック・薬歴を含めた重複と相互作用チェック・併用薬を含めた重複と相互作用チェック、及び禁忌薬との重複チェックを行うことが出来るようにしたものである。
また、処方せん入力後、薬剤師一人に一台のレセプトコンピューター（端末機）を配し、服薬指導内容を入力することにより、厚生労働省の指導に基づく特別指導加算後会計処理を的確に行うことが出来る。
さらに、ＯＴＣにおいては、ＰＯＳではなく単体レジにスマートメディアを付けバックヤードのサーバー機と売上データ（サーバー機より商品情報、単体レジより顧客別売上）を受け渡しすることにより、繁雑なデータの加工・集計等をバックヤードのサーバー機で行いレジ自体の操作が簡単に行える機能を有するものである。
【０００５】
【発明の実施の形態】
以下、本発明の実施の形態を図面に基づいて説明する。
図１・２は本発明の実施の形態であるＰＩＳＳを示す本部及び個店のハードウェア構成図。  図３は本実施の形態のＰＩＳＳにおけるソフトウェア構成を示すブロック図。  図４〜図３０は各処理機能における帳票例を示す説明図である。
まず、図１・２により本実施の形態のＰＩＳＳの構成を説明する。
▲１▼図１は、本部システムのハードウェアの構成図であり、パーソナルコンピューターをサーバー機としている為、個店の参加店舗数の拡大にともないクライアント（端末機）を増設することが可能な構成となっており、その他レーザープリンター・カラーインクジェットプリンターを接続。    また薬剤登録時の薬品イメージを取り込む為のデジタルカメラを接続。
さらに、ハブ・ルーターを設けることにより、個店とのインターネットでの接続を可能とするものである。
▲２▼図２は、個店システムのハードウェアの構成図であり、バックヤードのパーソナルコンピューターをサーバー機としている為、薬剤師の人数に合わせレセプトコンピューター（端末機）を増設することが可能な構成となっており、レーザープリンター・カラーインクジェットプリンターを接続、また薬剤登録時の薬品イメージを取り込む為のデジタルカメラを接続。
単体レジはＬＡＮではなく、スマートメディアでデーターの受け渡しを行う。  さらにハブ・ルターを設けることにより、本部及び他の個店とインターネットでの接続を可能とするものである。
▲３▼図３は、ＰＩＳＳのソフトウェア構成のブロック図であり、本部システムと個店システムにより構成される。
本部システムにおいては、前記に示す処理をパーソナルコンピューター（サーバー機）により実施する。
個店システムにおいても、前記に示す処理をバックヤードのパーソナルコンピューター（サーバー機）にて、レセプト処理をレセプトコンピューターで、単体レジ処理をレジとバックヤードで実施する。
【０００６】
【図面の簡単な説明】
【図１】本発明の実施形態のＰＩＳＳにおける本部システムのハードウェアを示す構成図である。
【図２】本発明の実施形態のＰＩＳＳにおける個店システムのハードウェアを示す構成図である。
【図３】本発明の実施形態のＰＩＳＳにおけるソフトウェアの構成を示す構成図である。
【図４】本発明の実施形態のＰＩＳＳにおける本部システムの請求書の帳票例を示す説明図である。
【図５】本発明の実施形態のＰＩＳＳにおける本部システムの注文書の帳票例を示す説明図である。
【図６】本発明の実施形態のＰＩＳＳにおける本部システムの管理日報の帳票例を示す説明図である。
【図７】本発明の実施形態のＰＩＳＳにおける本部システムの個店別年間実績推移表の帳票例を示す説明図である。
【図８】本発明の実施形態のＰＩＳＳにおける本部システムの医療機関別調剤金額総括表の帳票例を示す説明図である。
【図９】本発明の実施形態のＰＩＳＳにおける本部システムの売掛金管理表（表紙）の帳票例を示す説明図である。
【図１０】本発明の実施形態のＰＩＳＳにおける本部システムの売掛金管理表（社保）の帳票例を示す説明図である。
【図１１】本発明の実施形態のＰＩＳＳにおける本部システムの売掛金管理表（国保）の帳票例を示す説明図である。
【図１２】本発明の実施形態のＰＩＳＳにおける本部システムの請求一覧表の帳票例を示す説明図である。
【図１３】本発明の実施形態のＰＩＳＳにおける本部システムの入金一覧表の帳票例を示す説明図である。
【図１４】本発明の実施形態のＰＩＳＳにおける本部システムの買掛一覧表の帳票例を示す説明図である。
【図１５】本発明の実施形態のＰＩＳＳにおける本部システムの個店別売上集計表の帳票例を示す説明図である。
【図１６】本発明の実施形態のＰＩＳＳにおける本部システムの部門別売上集計表の帳票例を示す説明図である。
【図１７】本発明の実施形態のＰＩＳＳにおける本部システムの時間帯別売上集計表の帳票例を示す説明図である。
【図１８】本発明の実施形態のＰＩＳＳにおける本部システムの客層別来客数集計表の帳票例を示す説明図である。
【図１９】本発明の実施形態のＰＩＳＳにおける本部システムの個店別薬剤在庫一覧表の帳票例を示す説明図である。
【図２０】本発明の実施形態のＰＩＳＳにおける本部システムの個店別ＯＴＣ在庫一覧表の帳票例を示す説明図である。
【図２１】本発明の実施形態のＰＩＳＳにおける本部システムのメーカー毎薬剤別売上集計表の帳票例を示す説明図である。
【図２２】本発明の実施形態のＰＩＳＳにおける本部システムのＤＥＡＤ商品一覧表の帳票例を示す説明図である。
【図２３】本発明の実施形態のＰＩＳＳにおける本部システムの発注残一覧表の帳票例を示す説明図である。
【図２４】本発明の実施形態のＰＩＳＳにおける本部システムの発注残一覧表（個店別）の帳票例を示す説明図である。
【図２５】本発明の実施形態のＰＩＳＳにおける本部システムの発注残一覧表（発注先別）の帳票例を示す説明図である。
【図２６】本発明の実施形態のＰＩＳＳにおける個店システムの売上日計表の帳票例を示す説明図である。
【図２７】本発明の実施形態のＰＩＳＳにおける個店システムの在庫一覧表の帳票例を示す説明図である。
【図２８】本発明の実施形態のＰＩＳＳにおける個店システムの品薄発注検討表の帳票例を示す説明図である。
【図２９】本発明の実施形態のＰＩＳＳにおける個店システムの検収一覧表の帳票例を示す説明図である。
【図３０】本発明の実施形態のＰＩＳＳにおける個店システムの発注残一覧表の帳票例を示す説明図である。
【図１】
2004227541.tif 000003
【図２】
2004227541.tif 000004
【図３】
2004227541.tif 000005
【図４】
2004227541.tif 000006
【図５】
2004227541.tif 000007
【図６】
2004227541.tif 000008
【図７】
2004227541.tif 000009
【図８】
2004227541.tif 000010
【図９】
2004227541.tif 000011
【図１０】
2004227541.tif 000012
【図１１】
2004227541.tif 000013
【図１２】
2004227541.tif 000014
【図１３】
2004227541.tif 000015
【図１４】
2004227541.tif 000016
【図１５】
2004227541.tif 000017
【図１６】
2004227541.tif 000018
【図１７】
2004227541.tif 000019
【図１８】
2004227541.tif 000020
【図１９】
2004227541.tif 000021
【図２０】
2004227541.tif 000022
【図２１】
2004227541.tif 000023
【図２２】
2004227541.tif 000024
【図２３】
2004227541.tif 000025
【図２４】
2004227541.tif 000026
【図２５】
2004227541.tif 000027
【図２６】
2004227541.tif 000028
【図２７】
2004227541.tif 000029
【図２８】
2004227541.tif 000030
【図２９】
2004227541.tif 000031
【図３０】
2004227541.tif 000032